(57)【要約】【課題】再生位置情報を確実に保持すると共に、多数回の書き換えが可能な再生位置制御回路を提供する。【解決手段】記録媒体０に保存されているデータを読み出す読み出し部３と、読み出し部３が読み出しているデータの記録媒体０内の位置情報を検出する位置情報検出部５と、位置情報検出部５により検出された前記位置情報をＲＡＭ６に格納し、再生装置１の電源１１がオフされたときにＲＡＭ６内の前記位置情報を取り出し、書き込み可能な不揮発性メモリ７に格納する制御部４と、を備える。【選択図】図１
2008130202.tif 000002
【特許請求の範囲】
【請求項１】
記録媒体に保存されているデータを読み出す読み出し部と、
前記読み出し部が読み出しているデータの前記記録媒体内の位置情報を検出する位置情報検出部と、
周期的に位置検出を行うよう前記位置検出制御信号を出力し、前記位置情報検出部により検出された前記位置情報を揮発性メモリに格納し、前記再生装置の電源がオフされたときに前記揮発性メモリ内の前記位置情報を取り出し、書き込み可能な不揮発性メモリに格納する制御部と、
を備えることを特徴とする再生位置制御回路。
【請求項２】
前記記録媒体に保存されているデータを読み出す読み出し部と、
前記読み出し部が読み出しているデータの前記記録媒体内の位置情報を検出する位置情報検出部と、
前記位置情報検出部により検出された前記位置情報を揮発性メモリに格納し、前記再生装置の電源がオフされてから所定時間経過後に前記揮発性メモリ内の前記位置情報を取り出し、書き込み可能な不揮発性メモリに格納する制御部と、
を備えることを特徴とする再生位置制御回路。
【請求項３】
前記記録媒体に保存されているデータを読み出す読み出し部と、
前記読み出し部が読み出しているデータの前記記録媒体内の位置情報を検出する位置情報検出部と、
前記位置情報検出部により検出された前記位置情報を揮発性メモリに格納し、前記再生装置の電源がオフしたときにオンするバックアップ電源の電圧が所定値以下になったときに前記揮発性メモリ内の前記位置情報を取り出し、書き込み可能な不揮発性メモリに格納する制御部と、
を備えることを特徴とする再生位置制御回路。
【請求項４】
記録媒体に保存されたデータを読み出す読み出し部と、
読み出されたデータを再生して出力する再生処理部と、
前記読み出し部が読み出しているデータの前記記録媒体内の位置情報を検出する位置情報検出部と、
電源がオフしたことを検出し、電源オフ検出信号を出力する電源オフ検出部と、
前記位置情報を保存することができる揮発性メモリと、
前記位置情報を保存することができる書き込み可能な不揮発性メモリと、
前記電源オン時は前記位置情報を前記揮発性メモリに格納し、前記電源オフ検出信号に基づき前記揮発性メモリ内の前記位置情報を取り出し前記不揮発性メモリに格納する制御部と、
を備えることを特徴とする再生システム。
【請求項５】
記録媒体に保存されたデータを読み出す読み出し部と、
読み出されたデータを再生して出力する再生処理部と、
前記読み出し部が読み出しているデータの前記記録媒体内の位置情報を検出する位置情報検出部と、
電源がオフしたことを検出し、電源オフ検出信号を出力する電源オフ検出部と、
前記位置情報を保存することができる揮発性メモリと、
前記位置情報を保存することができる書き込み可能な不揮発性メモリと、
前記電源オフ検出信号入力時から所定時間経過後に時間経過信号を出力するタイマーと、
前記電源オン時は前記位置情報を前記揮発性メモリに格納し、前記時間経過信号に基づき前記揮発性メモリ内の前記位置情報を取り出し前記不揮発性メモリに格納する制御部と、
を備えることを特徴とする再生システム。
【発明の詳細な説明】
【技術分野】
【０００１】
本発明は、再生位置制御回路及び再生システムに関するものである。
【背景技術】
【０００２】
近年、ＣＤ、ＤＶＤ等のディスクの再生装置では、電源オフ時に再生位置情報を記憶部に保存しておき、次に電源がオンされた時に再生位置情報を参照して続きから再生する続き再生機能を備えたものがある。家庭用のディスク再生装置では、この記憶部にバックアップ電源が不要な不揮発性メモリが用いられている（例えば特許文献１参照）。
【０００３】
一方、車両搭載用の再生装置では、セルモータの回転時やエアコンの始動時にアクセサリ電源が十分でなくいつ電源が落ちるかわからないため、周期的（例えば１秒毎）に再生位置情報を取得してＲＡＭに記憶し、電源遮断時はＲＡＭにバックアップ電源を供給して再生位置情報を保持している（例えば特許文献２参照）。ここで記憶部に不揮発性メモリでなくＲＡＭを用いているのは、不揮発性メモリは書き換え回数に制限があるためである。例えば、１秒毎の再生位置情報書き換えを１日行うと、書き換え回数は６０（秒）×６０（分）×２４（時間）＝８６４００回と極めて多く、書き換え回数が数万回程度であるフラッシュＲＯＭやＥＥＰＲＯＭ等の不揮発性メモリは車両搭載用の再生装置に適さない。
【０００４】
ＲＡＭのバックアップ電源には例えばキャパシタが用いられているが、車にエンジンをかけるなどして充電を行わないとバックアップ電源がなくなる。従って、充電をしない時間が長く続くとＲＡＭに保存された再生位置情報が消滅し、続き再生を行うことができなくなるという問題を有していた。
【特許文献１】特開２００３−２０３４６４号公報
【特許文献２】特開２００２−２２３４１１号公報
【発明の開示】
【発明が解決しようとする課題】
【０００５】
本発明は再生位置情報を確実に保持すると共に、多数回の書き換えが可能な再生位置制御回路を提供することを目的とする。
【課題を解決するための手段】
【０００６】
本発明の一態様による再生位置制御回路は、記録媒体に保存されているデータを読み出す読み出し部と、前記読み出し部が読み出しているデータの前記記録媒体内の位置情報を検出する位置情報検出部と、前記位置情報検出部により検出された前記位置情報を揮発性メモリに格納し、前記再生装置の電源がオフされたときに前記揮発性メモリ内の前記位置情報を取り出し、書き込み可能な不揮発性メモリに格納する制御部と、を備えるものである。
【０００７】
また、本発明の一態様による再生位置制御回路は、前記記録媒体に保存されているデータを読み出す読み出し部と、前記読み出し部が読み出しているデータの前記記録媒体内の位置情報を検出する位置情報検出部と、前記位置情報検出部により検出された前記位置情報を揮発性メモリに格納し、前記再生装置の電源がオフされてから所定時間経過後に前記揮発性メモリ内の前記位置情報を取り出し、書き込み可能な不揮発性メモリに格納する制御部と、を備えるものである。
【０００８】
また、本発明の一態様による再生位置制御回路は、前記記録媒体に保存されているデータを読み出す読み出し部と、前記読み出し部が読み出しているデータの前記記録媒体内の位置情報を検出する位置情報検出部と、前記位置情報検出部により検出された前記位置情報を揮発性メモリに格納し、前記再生装置の電源がオフしたときにオンするバックアップ電源の電圧が所定値以下になったときに前記揮発性メモリ内の前記位置情報を取り出し、書き込み可能な不揮発性メモリに格納する制御部と、を備えるものである。
【０００９】
本発明の一態様による再生システムは、記録媒体に保存されたデータを読み出す読み出し部と、読み出されたデータを再生して出力する再生処理部と、前記読み出し部が読み出しているデータの前記記録媒体内の位置情報を検出する位置情報検出部と、電源がオフしたことを検出し、電源オフ検出信号を出力する電源オフ検出部と、前記位置情報を保存することができる揮発性メモリと、前記位置情報を保存することができる書き込み可能な不揮発性メモリと、前記電源オン時は前記位置情報を前記揮発性メモリに格納し、前記電源オフ検出信号に基づき前記揮発性メモリ内の前記位置情報を取り出し前記不揮発性メモリに格納する制御部と、を備えるものである。
【００１０】
また、本発明の一態様による再生システムは、記録媒体に保存されたデータを読み出す読み出し部と、読み出されたデータを再生して出力する再生処理部と、前記読み出し部が読み出しているデータの前記記録媒体内の位置情報を検出する位置情報検出部と、電源がオフしたことを検出し、電源オフ検出信号を出力する電源オフ検出部と、前記位置情報を保存することができる揮発性メモリと、前記位置情報を保存することができる書き込み可能な不揮発性メモリと、前記電源オフ検出信号入力時から所定時間経過後に時間経過信号を出力するタイマーと、前記電源オン時は前記位置情報を前記揮発性メモリに格納し、前記時間経過信号に基づき前記揮発性メモリ内の前記位置情報を取り出し前記不揮発性メモリに格納する制御部と、を備えるものである。
【発明の効果】
【００１１】
本発明によれば、再生位置情報を確実に保持すると共に、多数回の書き換えを行うことができる。
【発明を実施するための最良の形態】
【００１２】
以下、本発明の実施の形態による再生位置制御回路及び再生システムを図面に基づいて説明する。
【００１３】
（第１の実施形態）図１に本発明の第１の実施形態に係る再生システムの概略構成を示す。再生システムは、再生装置１、電源部１１、電源オフ検出部１２及びバックアップ電源１３を備える。再生装置１は再生位置制御回路２、再生処理部８、映像出力端子９、音声出力端子１０、揮発性メモリとしてＤＲＡＭ、ＳＲＡＭ等のＲＡＭ６及び書き込み可能な不揮発性メモリ７を有する。再生位置制御回路２は読み出し部３、制御部４及び位置情報検出部５を含む。
【００１４】
再生装置１では、ＤＶＤ等の記録媒体０に記録されている映像／音声データが読み出し部３により読み出され、読み出されたデータは再生処理部８で復号などが行われ、映像信号は映像出力端子９を介して、音声信号は音声出力端子１０を介して出力される。制御部４は読み出し部３及び再生処理部８の制御を行うとともに、位置検出制御信号を位置情報検出部５に出力し、読み出し部３で読み出されているデータの記録媒体０における位置を示す情報（以後再生位置情報という）を周期的（例えば１秒毎）に検出するよう動作させる。位置情報検出部５で検出された再生位置情報は制御部４によりＲＡＭ６に書き込まれる。
【００１５】
図２に再生動作中に再生位置情報をＲＡＭ６に格納する動作フローを示す。制御部４から出力される位置検出制御信号に基づき、位置情報検出部５により読み出し部３が読み出しているデータの再生位置情報が検出され（ステップＳ１１）、検出された再生位置情報が制御部４によりＲＡＭ６に格納される（ステップＳ１２）。
【００１６】
電源部１１は再生装置１に電源を供給する。電源オフ検出部１２は電源が切れたことを検出し、電源オフ検出信号を出力する。バックアップ電源１３は電源オフ検出信号に基づきオンし、制御部４、ＲＡＭ６及び不揮発性メモリ７へ電源を供給する。バックアップ電源１３は例えばスーパーキャパシタ（電気二重層コンデンサ）である。
【００１７】
制御部４は電源オフ検出信号に基づきＲＡＭ６に格納されている再生位置情報を取り出し、不揮発性メモリ７に格納する。次に電源がオンになった、つまり電源部１１から再生装置１に電源が供給された、ときは不揮発性メモリ７に格納されている再生位置情報を参照することで続き再生を行うことができる。
【００１８】
電源オン時は書き換え回数に制限がないＲＡＭ６に周期的に、つまり多数回、再生位置情報を書き込み、電源オフした時のみ不揮発性メモリ７に再生位置情報を書き込むため、不揮発性メモリへの書き込み回数を抑えることができる。また、不揮発性メモリを利用することで、バックアップ電源が切れても再生位置情報を保持し続けられ、次に電源がオンするまでの時間が長くても再生位置情報が消滅することがなく、続き再生を行うことができる。また、バックアップ電源１２はＲＡＭ６に格納されている再生位置情報が不揮発性メモリ７に書き込まれるまでの間だけ電源供給すればよいため、バックアップ電源の電源容量を低減することができる。
【００１９】
このように、本実施形態に係る再生システムにより、再生位置情報の取得、書き換えを多数回行うと共に、電源オフ時も再生位置情報を確実に保持することができる。
【００２０】
（第２の実施形態）図３に本発明の第２の実施形態に係る再生システムの概略構成を示す。図１と同一部分には同一符号を付す。タイマー１４は電源オフ検出部１２から出力される電源オフ検出信号に基づきカウントを開始し、タイマーの値が所定値以上になると、つまり電源が切れてから所定時間経過すると、時間経過信号を制御部４へ出力する。制御部４は時間経過信号に基づきＲＡＭ６に格納されている再生位置情報を取り出し、不揮発性メモリ７に格納する。タイマーの所定値、つまり電源が切れてから経過する所定時間、はバックアップ電源が切れる前の値に設定する。
【００２１】
この再生システムによる再生位置制御方法について説明する。電源オン時は、位置情報検出部５は制御部４から出力される位置検出制御信号に基づき周期的（例えば１秒毎）に再生位置情報を検出する。検出された再生位置情報は制御部４によりＲＡＭ６に格納され、ＲＡＭ有効フラグがセットされる。図４にＲＡＭ６及び不揮発性メモリ７の概略構成を示す。ＲＡＭ６では、ＲＡＭ有効フラグは有効フラグ領域６１にセットされ、再生位置情報は再生位置情報格納部６２に格納される。不揮発性メモリ７では、再生位置情報は再生位置情報格納部７２に格納される。
【００２２】
再生位置情報をＲＡＭ６から取り出し不揮発性メモリ７に格納する動作フローを図５に示す。電源がオフして所定時間が経過すると（ステップＳ２１）、タイマー１４から出力される時間経過信号に基づき制御部４がＲＡＭ６から再生位置情報を取り出して不揮発性メモリ７に格納し（ステップＳ２２）、ＲＡＭ有効フラグをクリアする（ステップＳ２３）。    
続き再生を行う際の動作フローを図６に示す。電源が再びオンした時は、ＲＡＭ６の有効フラグ領域６１にＲＡＭ有効フラグがセットされているか否かが検出される（ステップＳ３１）。ＲＡＭ有効フラグがセットされている場合はＲＡＭ６内の再生位置情報が最新の再生位置情報であるため、再生位置情報格納部６２に格納されている再生位置情報が抽出される（ステップＳ３２）。ＲＡＭ有効フラグがセットされていない場合は、最新の再生位置情報はＲＡＭ６から取り出され不揮発性メモリ７に格納されているため、再生位置情報格納部７２に格納されている再生位置情報が抽出される（ステップＳ３３）。このようにして抽出された再生位置情報を用いて続き再生が行われる（ステップＳ３４）。
【００２３】
また、ＲＡＭ６にＲＡＭ有効フラグをセットするのではなく、不揮発性メモリ７に読み出しフラグをセットするようにしてもよい。このときのＲＡＭ６及び不揮発性メモリ７の概略構成を図７に示す。読み出しフラグは読み出しフラグ領域７１にセットされる。
【００２４】
電源オン時は位置情報検出部５により周期的（例えば１秒毎）に再生位置情報が検出され、制御部４により再生位置情報はＲＡＭ６の再生位置情報格納部６２に格納される。
【００２５】
再生位置情報をＲＡＭ６から取り出し不揮発性メモリ７に格納する動作フローを図８に示す。電源がオフして所定時間が経過すると（ステップＳ４１）、タイマー１４から出力される時間経過信号に基づき制御部４はＲＡＭ６の再生位置情報格納部６２から再生位置情報を取り出して、不揮発性メモリ７の再生位置情報格納部７２に格納する（ステップＳ４２）。そして、読み出しフラグ領域７１の読み出しフラグをクリアする（ステップＳ４３）。
【００２６】
続き再生を行う際の動作フローを図９に示す。電源が再びオンした時は、不揮発性メモリ７の読み出しフラグ領域７１に読み出しフラグがセットされているかが検出される（ステップＳ５１）。読み出しフラグがセットされているときはＲＡＭ６内の再生位置情報が最新の再生位置情報であるため、再生位置情報格納部６２から再生位置情報が抽出される（ステップＳ５２）。読み出しフラグがセットされていないときは不揮発性メモリ７内の再生位置情報が最新の再生位置情報であるため、再生位置情報格納部７２から再生位置情報が抽出され（ステップＳ５３）、読み出しフラグがセットされる（ステップＳ５４）。このようにして抽出された再生位置情報を用いて続き再生が行われる（ステップＳ５５）。
【００２７】
タイマー１４を用いて電源オフしてから所定時間経過後にＲＡＭ６内の再生位置情報を不揮発性メモリ７に格納することで、電源が再びオンするまでの時間が短く、バックアップ電源１３が切れる前に電源がオンするときは不揮発性メモリ７への書き込みを行わなくて済むため、不揮発性メモリ７への書き込み回数をさらに低減することができる。また、ＲＡＭ有効フラグ又は読み出しフラグを用いることで、最新の再生位置情報がＲＡＭ６と不揮発性メモリ７のどちらに格納されているかを判別することができる。
【００２８】
このように、本実施形態に係る再生システムにより、再生位置情報の取得、書き換えを多数回行うことができると共に、電源オフ時も再生位置情報を確実に保持することができる。また、不揮発性メモリへの書き込み回数を極めて少なくすることができる。
【００２９】
（第３の実施形態）図１０に本発明の第３の実施形態に係る再生システムの概略構成を示す。図１と同一部分には同一符号を付す。バックアップ電源電圧検出部１５はバックアップ電源１３の電圧値をモニタし、電圧値が所定値以下になったら制御部４へ電圧検出信号を出力する。制御部４は電圧検出信号に基づきＲＡＭ６に格納されている再生位置情報を取り出し、不揮発性メモリ７に格納する。再生位置情報のＲＡＭ６への格納、ＲＡＭ有効フラグ又は読み出しフラグのセット、クリア及び続き再生時の再生位置情報の検出は上記第２の実施形態と同様であるので説明を省略する。
【００３０】
バックアップ電源電圧検出部１５を用いて、バックアップ電源１３の電圧値が所定値以下になったことを検出し、このときにＲＡＭ６内の再生位置情報を不揮発性メモリ７に格納する。これにより、電源が再びオンするまでの時間が短くバックアップ電源１３が切れる前に電源がオンするときは不揮発性メモリ７への書き込みを行わなくて済むため、不揮発性メモリ７への書き込み回数を低減することができる。また、ＲＡＭ有効フラグ又は読み出しフラグを用いることで、最新の再生位置情報がＲＡＭ６と不揮発性メモリ７のどちらに格納されているかを判別することができる。
【００３１】
このように、本実施形態に係る再生システムにより、再生位置情報の取得、書き換えを多数回行うことができると共に、電源オフ時も再生位置情報を確実に保持することができる。また、不揮発性メモリへの書き込み回数を極めて少なくすることができる。
【００３２】
上記実施形態における不揮発性メモリ７は図１１に示すように再生位置情報格納部を複数備えるようにしてもよい。図１１には一例として３つの再生位置情報格納部７２ａ〜７２ｃを備える構成を示す。ここで各再生位置情報格納部は再生位置情報と共に書き込み回数が記録される。各再生位置情報格納部には書き込み制限回数があり、制限回数に達すると別の再生位置情報格納部に再生位置情報が書き込まれる。このような構成の不揮発性メモリ７への再生位置情報書き込みフローを図１２を用いて説明する。
【００３３】
まず再生位置情報格納部の書き込み回数が読み出される（ステップＳ６１）。そして書き込み回数が制限回数に達しているかが判定される（ステップＳ６２）。達している場合は別の再生位置情報格納部をサーチし（ステップＳ６４）、達していない場合はその再生位置情報格納部にＲＡＭ６から取り出された再生位置情報が書き込まれ（ステップＳ６３）、記録されている書き込み回数に１が加算される（ステップＳ６５）。
【００３４】
次に、図１３を用いて再生位置情報の読み出しフローを説明する。まず再生位置情報格納部の書き込み回数が読み出される（ステップＳ７１）。そして書き込み回数が制限回数に達しているかが判定される（ステップＳ７２）。達している場合は別の再生位置情報格納部をサーチし（ステップＳ７４）、達していない場合はその再生位置情報格納部から再生位置情報を読み出す（ステップＳ７４）。
【００３５】
書き込み回数の読み出しを行う再生位置情報格納部には予め順序づけがされており、例えば再生位置情報部７２ａ、７２ｂ、７２ｃの順である。これにより、複数の再生位置情報格納部の中で書き込み制限回数に達していない再生位置情報格納部に再生位置情報を書き込むことができる。また、最新の再生位置情報を読み出すことができる。このように再生位置情報格納部を複数設けることで不揮発性メモリ７の書き込み回数を増やすことができる。
【００３６】
上記実施形態による再生システムを車両に搭載する場合は、電源部１１からの電源供給のオンオフ切り替えは車両メインキーのオンオフ切り替えにより行うことが出来る。
【００３７】
上述した実施の形態はいずれも一例であって制限的なものではないと考えられるべきである。例えば、ＲＡＭ有効フラグの代わりに再生位置情報のチェックサムを設けるようにしてもよい。また、バックアップ電源１３とは別にＲＡＭ６のデータ保持専用のバックアップ電源を設け、バックアップ電源１３はＲＡＭ６内の再生位置情報を不揮発性メモリ７へ書き込むときのみ電源を供給するようにしてもよい。本発明の技術的範囲は特許請求の範囲によって示され、特許請求の範囲と均等の意味および範囲内でのすべての変更が含まれることが意図される。
【図面の簡単な説明】
【００３８】
【図１】本発明の第１の実施形態による再生システムの概略構成図である。
【図２】再生位置情報をＲＡＭに格納する動作フローを示す図である。
【図３】本発明の第２の実施形態による再生システムの概略構成図である。
【図４】ＲＡＭ及び不揮発性メモリの概略構成図である。
【図５】再生位置情報を不揮発性メモリに格納する動作フローを示す図である。
【図６】続き再生を行う際の動作フローを示す図である。
【図７】ＲＡＭ及び不揮発性メモリの概略構成図である。
【図８】再生位置情報を不揮発性メモリに格納する動作フローを示す図である。
【図９】続き再生を行う際の動作フローを示す図である。
【図１０】本発明の第３の実施形態による再生システムの概略構成図である。
【図１１】不揮発性メモリの概略構成図である。
【図１２】再生位置情報書き込みフローチャートを示す図である。
【図１３】再生位置情報読み出しフローチャートを示す図である。
【符号の説明】
【００３９】
１  再生装置
２  再生位置制御回路
３  読み出し部
４  制御部
５  位置情報検出部
６  ＲＡＭ
７  不揮発性メモリ
８  再生処理部
９  映像出力端子
１０  音声出力端子
１１  電源部
１２  電源オフ検出部
１３  バックアップ電源
１４  タイマー
１５  バックアップ電源電圧検出部
【図１】
2008130202.tif 000003
【図２】
2008130202.tif 000004
【図３】
2008130202.tif 000005
【図４】
2008130202.tif 000006
【図５】
2008130202.tif 000007
【図６】
2008130202.tif 000008
【図７】
2008130202.tif 000009
【図８】
2008130202.tif 000010
【図９】
2008130202.tif 000011
【図１０】
2008130202.tif 000012
【図１１】
2008130202.tif 000013
【図１２】
2008130202.tif 000014
【図１３】
2008130202.tif 000015